(57)【特許請求の範囲】
【請求項１】
枚葉状の被印刷物を搬送方向下流側へ給紙する給紙部と、該給紙部の搬送方向下流側に配置された印刷部と、該印刷部により印刷された印刷物を排紙し該印刷部よりも搬送方向下流側に配置された排紙部と、を備えた印刷機において、
複数の被印刷物の表裏両面のうちの一方の面の印刷を完了して前記排紙部から排紙された印刷物を前記給紙部にセットしてから、他方の面を印刷するように構成され、前記一方の面を印刷するための複数の一方側ファイルと該一方側ファイルと同数に設定され前記他方の面を印刷するための他方側ファイルとを備え、前記複数の一方側ファイルには、印刷する頁数分の一方側印刷データがそれぞれ格納され、前記複数の一方側ファイルそれぞれに格納されている各々の一方側印刷データに、他の一方側印刷データと識別するための識別情報が付加されており、
選択された一方側ファイル内の一方側印刷データ及び識別情報を前記被印刷物の一方の面に印刷する一方側印刷手段と、
前記一方側印刷手段により前記一方の面に印刷された識別情報を読み取る読取手段と、
前記選択された一方側ファイル内から識別情報を読み出して記憶する記憶手段と、
前記読取手段により読み取った識別情報と前記記憶手段により記憶した一方側印刷データの識別情報とを比較する比較手段と、
前記比較手段の比較結果に基づいて、読み取った識別情報が前記記憶手段に記憶されている識別情報よりも不足している印刷不足であるかどうかを判断する印刷不足判断手段と、
該印刷不足判断手段により印刷不足であると判断された場合には、印刷不足頁のリストを作成する手段と、
を備えていることを特徴とする印刷機。
【請求項２】
枚葉状の被印刷物を搬送方向下流側へ給紙する給紙部と、該給紙部の搬送方向下流側に配置された印刷部と、該印刷部により印刷された印刷物を排紙し該印刷部よりも搬送方向下流側に配置された排紙部と、を備えた印刷機において、
複数の被印刷物の表裏両面のうちの一方の面の印刷を完了して前記排紙部から排紙された印刷物を前記給紙部にセットしてから、他方の面を印刷するように構成され、前記一方の面を印刷するための複数の一方側ファイルと該一方側ファイルと同数に設定され前記他方の面を印刷するための他方側ファイルとを備え、前記複数の一方側ファイルには、印刷する頁数分の一方側印刷データがそれぞれ格納され、前記複数の一方側ファイルそれぞれに格納されている各々の一方側印刷データに、他の一方側印刷データと識別するための識別情報が付加されており、
選択された一方側ファイル内の一方側印刷データ及び識別情報を前記被印刷物の一方の面に印刷する一方側印刷手段と、
前記一方側印刷手段により前記一方の面に印刷された識別情報を読み取る読取手段と、
前記選択された一方側ファイル内から識別情報を読み出して記憶する記憶手段と、
前記読取手段により読み取った識別情報と前記記憶手段により記憶した一方側印刷データの識別情報とを比較する比較手段と、
前記比較手段の比較結果に基づいて、読み取った識別情報の中に印刷対象外の識別情報があるかどうかを判断する印刷対象外判断手段と、
該印刷対象外判断手段により印刷対象外の識別情報があると判断された場合には、印刷対象外の印刷物のリストを作成する手段と、
を備えていることを特徴とする印刷機。
【請求項３】
枚葉状の被印刷物を搬送方向下流側へ給紙する給紙部と、該給紙部の搬送方向下流側に配置された印刷部と、該印刷部により印刷された印刷物を排紙し該印刷部よりも搬送方向下流側に配置された排紙部と、を備えた印刷機において、
複数の被印刷物の表裏両面のうちの一方の面の印刷を完了して前記排紙部から排紙された印刷物を前記給紙部にセットしてから、他方の面を印刷するように構成され、前記一方の面を印刷するための複数の一方側ファイルと該一方側ファイルと同数に設定され前記他方の面を印刷するための他方側ファイルとを備え、前記複数の一方側ファイルには、印刷する頁数分の一方側印刷データがそれぞれ格納され、前記複数の一方側ファイルそれぞれに格納されている各々の一方側印刷データに、他の一方側印刷データと識別するための識別情報が付加されており、
選択された一方側ファイル内の一方側印刷データ及び識別情報を前記被印刷物の一方の面に印刷する一方側印刷手段と、
前記一方側印刷手段により前記一方の面に印刷された識別情報を読み取る読取手段と、
前記選択された一方側ファイル内から識別情報を読み出して記憶する記憶手段と、
前記読取手段により読み取った識別情報と前記記憶手段により記憶した一方側印刷データの識別情報とを比較する比較手段と、
前記比較手段の比較結果に基づいて、読み取った識別情報が前記記憶手段に記憶されている識別情報よりも不足している印刷不足であるかどうかを判断する印刷不足判断手段と、
該印刷不足判断手段により印刷不足であると判断された場合には、印刷不足頁のリストを作成する手段と、
前記比較手段の比較結果に基づいて、印刷した印刷物に重複した頁があるかどうかを判断する重複頁判断手段と、
該重複頁判断手段により重複した頁があると判断された場合には、重複した頁のリストを作成する手段と、
前記比較手段の比較結果に基づいて、読み取った識別情報の中に印刷対象外の識別情報があるかどうかを判断する印刷対象外判断手段と、
該印刷対象外判断手段により印刷対象外の識別情報があると判断された場合には、印刷対象外の印刷物のリストを作成する手段と、
を備えていることを特徴とする印刷機。
【発明の詳細な説明】
【技術分野】
【０００１】
本発明は、枚葉状の複数の被印刷物の表裏両面のうちの一方の面の印刷を完了してから、残りの他方の面を印刷するように構成されている印刷機に関するものである。
【背景技術】
【０００２】
上記のように印刷機で表裏両面が印刷されて印刷物が完成する。印刷物には、例えばカレンダー、チラシ、カタログ、ダイレクトメール等が挙げられる。このような印刷物は、一枚毎に異なる内容が印刷され、表裏の印刷内容も異なる場合が多い。それら印刷された印刷物の印刷内容が正しく印刷されているかどうかを確認する必要がある。そこで、特許文献１の構成のものが既に提案されている。
【０００３】
これは、枚葉紙に、印刷内容とは別に、複数の異なる形状からなり所定の周期で規則的に繰り返す検査パターンを印刷し、印刷された検査パターンをカメラで検出する。検出した複数の検査パターンが、予め登録した検査パターンの順番と一致するかどうかを判断することによって、印刷された印刷物の印刷内容が正しく印刷されているかどうかを確認する。
【先行技術文献】
【特許文献】
【０００４】
【特許文献１】特開２００８−１７３８０３号公報
【発明の概要】
【発明が解決しようとする課題】
【０００５】
特許文献１の構成は、複数の異なる形状からなる検査パターンを印刷内容とは別に登録して記憶しておかなければならない。特に、多種類の印刷物を印刷する場合には、印刷データが増えるだけでなく、検査パターンのデータも増えることになる。その結果、データのやり取りをするときやデータを処理するときに、印刷機の制御部に大きな負荷が加わってしまい、制御部の処理が良好に行うことができず、改善の余地があった。尚、大きな処理能力を有する制御部を用いることが考えられるが、印刷機の大型化やコストの高騰を招くため、実現し難いものである。
【０００６】
本発明はこのような問題を解決するためになされたもので、その目的は、制御部に大きな負荷が加わることがなく、印刷された印刷物の印刷内容が正しく印刷されているかどうかを確実に確認することができる印刷機を提供することである。
【課題を解決するための手段】
【０００７】
上記目的を達成するため、本発明に係る印刷機は、枚葉状の被印刷物を搬送方向下流側へ給紙する給紙部と、該給紙部の搬送方向下流側に配置された印刷部と、該印刷部により印刷された印刷物を排紙し該印刷部よりも搬送方向下流側に配置された排紙部と、を備えた印刷機において、複数の被印刷物の表裏両面のうちの一方の面の印刷を完了して前記排紙部から排紙された印刷物を前記給紙部にセットしてから、他方の面を印刷するように構成され、前記一方の面を印刷するための複数の一方側ファイルと該一方側ファイルと同数に設定され前記他方の面を印刷するための他方側ファイルとを備え、前記複数の一方側ファイルには、印刷する頁数分の一方側印刷データがそれぞれ格納され、前記複数の一方側ファイルそれぞれに格納されている各々の一方側印刷データに、他の一方側印刷データと識別するための識別情報が付加されており、選択された一方側ファイル内の一方側印刷データ及び識別情報を前記被印刷物の一方の面に印刷する一方側印刷手段と、前記一方側印刷手段により前記一方の面に印刷された識別情報を読み取る読取手段と、前記選択された一方側ファイル内から識別情報を読み出して記憶する記憶手段と、前記読取手段により読み取った識別情報と前記記憶手段により記憶した一方側印刷データの識別情報とを比較する比較手段と、前記比較手段の比較結果に基づいて、読み取った識別情報が前記記憶手段に記憶されている識別情報よりも不足している印刷不足であるかどうかを判断する印刷不足判断手段と、該印刷不足判断手段により印刷不足であると判断された場合には、印刷不足頁のリストを作成する手段と、を備えていることを特徴とする。
【０００８】
上記構成によれば、印刷データを管理する際に必要となる識別情報を利用することによって、他のデータを印刷データとは別に作成する場合に比べて、制御部に加わる負荷を小さく抑えることができる。しかも、印刷機で印刷したときの一方側印刷データの識別情報を記憶しておき、この記憶された一方側印刷データの識別情報と、読取手段により読み取った識別情報とが一致しているかどうかを制御部で判断することによって、印刷された印刷物が正しく印刷されたかどうかを確実に確認することができる。また、一方側印刷データによって、被印刷物の一方の面の印刷が終了すると、一方側印刷データと同数の他方側印刷データによって、被印刷物の他方の面を確実に印刷することができる。
【００１１】
また、本発明に係る印刷機は、枚葉状の被印刷物を搬送方向下流側へ給紙する給紙部と、該給紙部の搬送方向下流側に配置された印刷部と、該印刷部により印刷された印刷物を排紙し該印刷部よりも搬送方向下流側に配置された排紙部と、を備えた印刷機において、複数の被印刷物の表裏両面のうちの一方の面の印刷を完了して前記排紙部から排紙された印刷物を前記給紙部にセットしてから、他方の面を印刷するように構成され、前記一方の面を印刷するための複数の一方側ファイルと該一方側ファイルと同数に設定され前記他方の面を印刷するための他方側ファイルとを備え、前記複数の一方側ファイルには、印刷する頁数分の一方側印刷データがそれぞれ格納され、前記複数の一方側ファイルそれぞれに格納されている各々の一方側印刷データに、他の一方側印刷データと識別するための識別情報が付加されており、選択された一方側ファイル内の一方側印刷データ及び識別情報を前記被印刷物の一方の面に印刷する一方側印刷手段と、前記一方側印刷手段により前記一方の面に印刷された識別情報を読み取る読取手段と、前記選択された一方側ファイル内から識別情報を読み出して記憶する記憶手段と、前記読取手段により読み取った識別情報と前記記憶手段により記憶した一方側印刷データの識別情報とを比較する比較手段と、前記比較手段の比較結果に基づいて、読み取った識別情報の中に印刷対象外の識別情報があるかどうかを判断する印刷対象外判断手段と、該印刷対象外判断手段により印刷対象外の識別情報があると判断された場合には、印刷対象外の印刷物のリストを作成する手段と、を備えていることを特徴とする。
【００１３】
また、本発明に係る印刷機は、枚葉状の被印刷物を搬送方向下流側へ給紙する給紙部と、該給紙部の搬送方向下流側に配置された印刷部と、該印刷部により印刷された印刷物を排紙し該印刷部よりも搬送方向下流側に配置された排紙部と、を備えた印刷機において、複数の被印刷物の表裏両面のうちの一方の面の印刷を完了して前記排紙部から排紙された印刷物を前記給紙部にセットしてから、他方の面を印刷するように構成され、前記一方の面を印刷するための複数の一方側ファイルと該一方側ファイルと同数に設定され前記他方の面を印刷するための他方側ファイルとを備え、前記複数の一方側ファイルには、印刷する頁数分の一方側印刷データがそれぞれ格納され、前記複数の一方側ファイルそれぞれに格納されている各々の一方側印刷データに、他の一方側印刷データと識別するための識別情報が付加されており、選択された一方側ファイル内の一方側印刷データ及び識別情報を前記被印刷物の一方の面に印刷する一方側印刷手段と、前記一方側印刷手段により前記一方の面に印刷された識別情報を読み取る読取手段と、前記選択された一方側ファイル内から識別情報を読み出して記憶する記憶手段と、前記読取手段により読み取った識別情報と前記記憶手段により記憶した一方側印刷データの識別情報とを比較する比較手段と、前記比較手段の比較結果に基づいて、読み取った識別情報が前記記憶手段に記憶されている識別情報よりも不足している印刷不足であるかどうかを判断する印刷不足判断手段と、該印刷不足判断手段により印刷不足であると判断された場合には、印刷不足頁のリストを作成する手段と、前記比較手段の比較結果に基づいて、印刷した印刷物に重複した頁があるかどうかを判断する重複頁判断手段と、該重複頁判断手段により重複した頁があると判断された場合には、重複した頁のリストを作成する手段と、前記比較手段の比較結果に基づいて、読み取った識別情報の中に印刷対象外の識別情報があるかどうかを判断する印刷対象外判断手段と、該印刷対象外判断手段により印刷対象外の識別情報があると判断された場合には、印刷対象外の印刷物のリストを作成する手段と、を備えていることを特徴とする。
【発明の効果】
【００１５】
本発明によれば、印刷データを管理する際に必要となる識別情報を利用することによって、制御部に大きな負荷が加わることがなく、印刷された印刷物の印刷内容が正しく印刷されているかどうかを確実に確認することができる印刷機を提供することができる。
【図面の簡単な説明】
【００１６】
【図１】本発明の印刷機の概略全体側面図である。
【図２】給紙部のフィーダーボードの平面図である。
【図３】図２におけるＡ−Ａ線断面図である。
【図４】印刷機に備える制御部の動作を示すフローチャートである。
【図５】図4の続きの動作を示すフローチャートである。
【図６】印刷機の制御部内の構成を示すブロック図である。
【図７】カレンダーの裏面側印刷データのイメージ図である。
【図８】チラシの裏面側印刷データのイメージ図である。
【図９】表裏ファイル名対照表である。
【発明を実施するための形態】
【００１７】
以下、本発明の一実施形態に係る印刷機を、図面を参照しながら説明する。この印刷機1は、図１に示すように、設置面２に設置され、液体トナーを用いて電子印刷を行う装置である。印刷機１は、枚葉状の被印刷物である枚葉紙（印刷用紙ともいい、以下において、印刷用紙という）３を搬送方向下流側（以下単に「下流側」と称する）へ給紙する給紙部４と、給紙部４の下流側に配置された印刷部５と、印刷部５の下流側に配置される定着部６と、定着部６のさらに下流側に配置された排紙部７を備えている。
【００１８】
給紙部４は、印刷用紙３を印刷部５へ向けて給紙する部分である。印刷部５は、印刷用紙３の一面（表面又は裏面）に液体トナーを用いた多色刷印刷を施す部分である。定着部６は、印刷用紙３に施された印刷を印刷用紙３に定着させるための部分である。排紙部７は、印刷の定着後に印刷用紙３をストックする部分である。
【００１９】
また、給紙部４は、印刷用紙３を積載する積載部８と、積載部８に積載された印刷用紙３を最上位のものから印刷部５へ向けて給紙するための給紙フィーダ９とを備えている。給紙フィーダ９の下流側端に、給紙胴１０が配置されている。給紙フィーダ９は、図２及び図３に示すように、フィーダーボード９Ａと、フィーダーボード９Ａに設けられ、積載部８から送り出された印刷用紙３を保持して下流側へ搬送する一対のサクションテープ９Ｂ，９Ｂとを備えている。矢印Ｐは、印刷用紙３の搬送方向を示している。
【００２０】
印刷部５は、例えばシアン、マゼンタ、イエロー、ブラックの４色の液体トナーをそれぞれ印刷用紙３の表面に付着させることが可能なように、搬送方向上流側（以下単に「上流側」と称する）から下流側へ向けて配置された、各色用の第１着色部５１、第２着色部５２、第３着色部５３、および第４着色部５４から構成されている。第１着色部５１ないし第４着色部５４は、それぞれ、複数個のトナー供給胴１１、印刷部圧胴（帯電胴）１２を備え、上流側・下流側に隣り合う印刷部圧胴１２同士の間には、印刷部渡し胴１３が配置されている。
【００２１】
定着部６は、最下流側の印刷部圧胴１２からの印刷用紙３を定着部６へ受け渡す定着部渡し胴１４と、定着部渡し胴１４からの印刷用紙３を受け取って搬送する無端状のチェーン１５と、チェーン１５が巻回される駆動スプロケット１６及び従動スプロケット１７と、印刷用紙３に付着した液体トナーを乾燥させて定着させる乾燥装置１８とを備えている。
【００２２】
排紙部７は、従来から用いられている構造であり、チェーン式のグリッパ１９を備えた構造である。渡し用スプロケット２０と、その下流側に配置した端部スプロケット２１とにチェーン式のグリッパ１９が巻掛けられて、排紙部７の終端に至るまでに、チェーン式のグリッパ１９におけるグリップを解除することで、印刷用紙３が落下して、ストック部２２に積載される。
【００２３】
上記のように構成された印刷機１は、給紙部４の給紙フィーダ９から印刷部５へ向けて搬送された印刷用紙３を、第１着色部５１、第２着色部５２、第３着色部５３、第４着色部５４に搬送し、各着色部５１〜５４の印刷部圧胴１２に隣接するトナー供給胴の表面に形成された静電潜像に転写された液体トナー（図示せず）を、印刷部圧胴１２上で印刷用紙３の表面に転写する。
【００２４】
印刷部５において液体トナーが転写された印刷用紙３は、その後、定着部６に搬送されて、印刷用紙３の表面に転写されたトナーが乾燥装置１８の熱によって表面に定着される。そして、定着済の印刷用紙３（印刷済の印刷用紙３）は、排紙部７に搬送されて、ストック部２２に積載される。
【００２５】
前記のように構成された印刷機１は、表裏両面が印刷された複数枚（1枚でもよい）からなる一のグループの印刷物の他に、該印刷物とは印刷内容が異なる印刷が表裏両面になされた複数枚（1枚でもよい）からなる他のグループの印刷物を用意する際に用いるものであり、複数のグループの印刷物を用意するには、印刷する全ての印刷用紙３の一方の面（ここでは裏面）の印刷を完了してから、残りの他方の面の印刷を行うことになる。表裏両面が印刷された印刷内容が異なる複数のグループの印刷物としては、例えばカレンダー、チラシ、カタログ、郵送用のダイレクトメール等が挙げられる。
【００２６】
具体的には、印刷機に制御部２８（図６参照）を備えており、制御部２８には、複数の一方側ファイル（以下、裏面側ファイルという）と裏面側ファイルと同数の他方側ファイル（以下、表面側ファイルという）とが関係付けられて記憶されている。この関係については後述するが、例えば裏面側ではＢＫ、表面側ではＦＴという文字がファイル名に付されて区別できるようになっている。各裏面側ファイルには、異なる印刷内容の複数（単数でもよい）の裏面側印刷データが格納され、各表面側ファイルにも、異なる印刷内容の表面側印刷データが裏面側印刷データと同数（裏面側印刷データが複数の場合には、同数の複数で、裏面側印刷データが単数の場合には、単数）格納されている。また、全ての裏面側印刷データのそれぞれには、他の裏面側印刷データと識別するための識別情報が付加されている。この識別情報は、前記一方側ファイルのファイル名及びファイル名に対して付される頁番号をコード化したものであり、ここでは、2次元コードを用いている。裏面側印刷データ及び表面側印刷データは、画像、図形、文字、記号等の一つ又は二つ以上から構成されるデータである。
【００２７】
また、印刷機1は、図６に示すように、一方側印刷手段２３と、他方側印刷手段２４と、給紙部４に取り付けられた読取手段２５と、記憶手段２６と、比較手段２７と、抽出手段２９と、判断手段３０とを備えている。
【００２８】
一方側印刷手段２３は、印刷したい特定の裏面側ファイルを選択し裏面側ファイル内の裏面側印刷データ及び２次元コードを印刷用紙３の一方の面に印刷する手段である。
【００２９】
他方側印刷手段２４は、後述する抽出手段２９で抽出された表面側ファイルの表面側印刷データを、裏面が印刷された印刷用紙３の表面に印刷する手段である。
【００３０】
読取手段２５は、印刷用紙３に印刷された２次元コードに光を照射する光源と、この光源から照射された光によって２次元コードを撮像する撮像部とを備える２次元コードリーダーから構成されている。この２次元コードリーダー２５は、図２及び図３に示すように、給紙フィーダ９のフィーダーボード９Ａに形成された矩形状の開口９Ｋを通して給紙フィーダ９で給紙される印刷用紙３の２次元コードを検出してコード化された情報を把握するために使用する。
【００３１】
記憶手段２６は、裏面側印刷手段２３で印刷したときの裏面側印刷データのファイル名と頁番号及び印刷順を記憶する。尚、印刷した印刷用紙３が１枚の場合には、ファイル名と頁番号のみ記憶する。
【００３２】
比較手段２７は、読取手段２５により読み取った２次元コードをデコードして得られるファイル名と頁番号及び２次元コードの読み取り順と、記憶手段２６により記憶した裏面側印刷データのファイル名と頁番号及び記憶順とを比較する手段である。尚、印刷した印刷用紙３が１枚の場合には、読み取った２次元コードをデコードして得られるファイル名と頁番号と記憶しているファイル名と頁番号とを比較することになる。
【００３３】
抽出手段２９は、選択された裏面側ファイルを基に裏面側ファイルに関係付けられた表面側ファイルを抽出する手段である。
【００３４】
判断手段３０は、比較手段２７の比較結果に基づいて、印刷が正しいかどうかを判断する手段である。
【００３５】
前記各種の手段を備えた制御部２８により印刷を行うための工程を図４及び図５に示すフローチャートに基づいて説明する。
【００３６】
まず、印刷物として、前述した印刷物のうちのカレンダーとチラシの２つの印刷物を例に挙げて説明する。最初に、複数頁からなる表面側印刷データ及び裏面側印刷データを作成する（ステップＳ１、Ｓ２参照）。表面側印刷データには、複数（カレンダーとチラシの２つ）あり、仮にカレンダーをＡ１、チラシをＡ２としてデータの作成を行う。このＡ１は、１月〜６月の６頁分のデータを作成する。Ａ２は、３頁分のデータを作成する。また、裏面側印刷データには、表面側印刷データと同数のデータを有している。仮にカレンダーをＢ１、チラシをＢ２としてデータを作成する。このＢ１は、７月〜１２月の６頁分のデータを作成する。Ｂ２は、前記表面側データに対応する３頁分のデータを作成する。各裏面側印刷データの印刷イメージ内には、ファイル名と頁番号をコード化した２次元コードを含んでいる。例えば図７にカレンダーの裏面の１頁目（７月）の裏面側印刷データのイメージを示している。これは、ファイル名のCAL_BK.docxと頁数の００１頁をコード化した場合である。図７のＧ１は、画像部分を示している。また、図８には、チラシの１頁目の裏面側印刷データのイメージを示している。これはファイル名のCHI_BK.docxと頁数の００１頁をコード化した場合である。図８のＧ２は、画像部分を示している。因みに、図７，図８のファイル名の一部を構成する「.docx」は、データの拡張子である。ここでは、裏面側のファイル名のCAL_BK.docxやCHI_BK.docxに対して、表面側のファイル名は、CAL_FT.docxやCHI_FT.docxにして対応付けられている。
【００３７】
上記のように、裏面側印刷データのファイル名と表面側印刷データのファイル名の組み合わせ（対照）を把握できるようにファイル名に規則性を持たせている（ステップＳ３参照）。つまり、表面側ファイル名には、「FT」を付け、裏面側ファイルには、「BK」を付けることで、表裏で対のファイル名となるようにしている。
【００３８】
表裏のデータの作成が終了した後は、印刷機１で印刷したい裏面側印刷データのファイルをオペレータが選択し、その選択信号に基づいて制御部２８が印刷機１に印刷信号を出力し、印刷機１が印刷する（一方側印刷手段２３、ステップＳ４参照）。複数のファイルを選択した場合は、最初のファイルの最終頁の次に、２番目のファイルの先頭ページが印刷される。このようにして、すべての頁の裏面側印刷データが印刷される。（ここではA1に６頁、A2に３頁あるので、計９頁＝９枚印刷される）ここでは、複数のファイルを選択した場合を示しているが、単数のファイルを選択して印刷してもよい。尚、前記裏面側印刷データのファイルを選択した後、印刷を開始する前に、印刷条件を設定することもできる。この印刷条件としては、例えば、Ａ1（６頁）のうち、第２頁〜第４頁のみ（３頁分）を印刷する、又はＡ2（3頁）を1頁目から印刷するのではなく3頁目から印刷する（P3,P2,P1の順で印刷する）等が想定できる。これら印刷条件も記憶しておき、表面側印刷データのファイルを選択して表面側の印刷を行うときに、記憶した印刷条件をそのまま適用することで、各頁の表裏印刷を正しく印刷することができる。
【００３９】
印刷が行われたときに、印刷に使用した裏面側印刷データのファイル名と、印刷した頁番号を、印刷した順序の通りに、印刷機１の制御部２８で記憶する。例えば、Ａ１が６頁分のデータで、ファイル名を仮に「CAL_BK.docx」とする。また、Ａ２が３頁分のデータで、ファイル名を仮に「CHI_BK.docx」とする。この場合、
CAL_BK.docx/001（1頁目），CAL_BK.docx/002（２頁目）,
CAL_BK.docx/003（３頁目），CAL_BK.docx/004（4頁目），
CAL_BK.docx/005（5頁目），CAL_BK.docx/006（6頁目）
CHI_BK.docx/001（７頁目），CHI_BK.docx/002（８頁目），
CHI_BK.docx/003（９頁目）
となり、計９頁分＝９枚分の情報（裏面側印刷データのファイル名、頁番号、印刷順）が記憶される（ステップＳ５参照）。
【００４０】
ステップＳ４で裏面印刷時に選択したファイル名を基に、ステップＳ３のファイル名の関係にしたがって、表面側印刷データのファイル名を求める。尚、複数の裏面側印刷データのファイルを選択した場合、同じ数の表面側印刷データのファイル名を求める（ステップＳ６参照）。具体的には、カレンダーの裏面ファイル名がCAL_BK.docxの場合には、CAL_FT.docxの表面ファイル名となり、チラシの裏面ファイル名がCHI_BK.docxの場合は、CHI_FT.docxの表面ファイル名となる。
【００４１】
次に、選択されたファイルのイメージを印刷するため、給紙部４にセットされた印刷用紙３を印刷機１に供給する。具体的には、ステップＳ４で排紙部のストック部２２に積載された印刷用紙３を、順序を変えずに表裏をひっくり返して給紙部４にセットする。その際、各印刷用紙の裏面に印刷された２次元コードを1枚毎に読み取り、１枚毎の２次元コードをデコードして得られる文字列を印刷機１で記憶する。尚、全て正しい順序（裏面側を印刷したときの順序と同じ順序）で印刷用紙３が供給されれば、ステップＳ５で記憶したファイル名・頁番号の順番通りのデータになるはずである。尚、２次元コードが読み取られて印刷機１に供給される全ての印刷用紙３の表面に、他方側印刷手段２４で印刷されて、印刷が終了する（ステップＳ７参照）。
【００４２】
続いて、ステップＳ７で読み取った２次元コードと、ステップＳ５で作成したリストの２次元コードとを前記比較手段２７によって比較する（ステップＳ８参照）。
【００４３】
つまり、読み取った２次元コードをデコードして得られるファイル名、頁番号、印刷順の情報とステップＳ５で作成した印刷ファイル名、頁番号、印刷順の情報とを比較し、比較した結果に基づいて、印刷が正しく行われたどうかを判断する。例えば、読み取った側の情報が不足している（印刷不足）かどうかをチェックし（ステップＳ９参照）、情報が不足している場合には、印刷不足である（印刷されていない画像がある）と判断し、印刷不足頁のリストを作成する（ステップＳ１０参照）。また、印刷が正しく行われたどうかを判断する一例として、重複した頁があるかどうかをチェックし（ステップＳ１１）、重複している場合には、例えばテスト刷りした時の印刷用紙が混入していると判断し、重複頁のリストを作成する（ステップＳ１２）。更にまた、印刷が正しく行われたどうかを判断する一例として、読み取るべきファイル名、頁番号の情報に含まれない情報の２次元コードがあるかをチェックし（ステップＳ１３）、他の２次元コードがあった場合には、印刷対象外の印刷用紙が混入していると判断し、印刷対象外の印刷用紙のリストを作成する（ステップＳ１４）。
【００４４】
前述したように、印刷データを管理する際に必要となる識別情報を利用することによって、他のデータを印刷データとは別に作成する場合に比べて、制御部２８に加わる負荷を小さく抑えることができる。しかも、印刷機で印刷したときの一方側印刷データの識別情報を記憶しておき、この記憶された一方側印刷データの識別情報と、読取手段により読み取った識別情報とが一致しているかどうかを制御部２８で判断することによって、表裏の印刷が一致しているか、過不足、不一致がないかを確実に確認することができる。また、一方側印刷データが複数ある場合には、識別情報の印刷順と識別情報の読み取り順も一致しているかどうかを確認することによって、表裏の印刷が一致しているか、過不足、不一致がないかをより一層確実に確認することができる。ここでは、表裏の印刷が一致しているか、過不足、不一致がないかを確認することによって、印刷が正しく行われたどうかを判断するようにしている。
【００４５】
また、制御部２８は、選択した一方側ファイルを基に該一方側ファイルに関係付けられた他方側ファイルを抽出し、抽出された他方側ファイルの他方側印刷データを被印刷物の他方の面に印刷することによって、他方の面を印刷するためのリストをオペレータが作成することが不要になる。
【００４６】
尚、本発明は、前述の実施形態に限定されるものではなく、本発明の要旨を逸脱しない範囲で種々の変更が可能である。例えば、印刷物としては、カレンダー、チラシ、カタログ、郵送用のダイレクトメール以外のものであってもよい。つまり、本発明は、両面を印刷するもの全てを対象とする。
【００４７】
また、前述の実施形態では、印刷機として、液体トナーを胴を介して印刷用紙に塗布する液体トナー方式のデジタル印刷機を示したが、インクを印刷用紙に直接吹き付けるインクジェット方式のデジタル印刷機であってもよいし、それらを複合したデジタル印刷機であってもよい。
【００４８】
また、前述の実施形態では、表面側印刷データと裏面側印刷データとを異なるファイル名（具体的にはFTとBKの識別子）で関係付けるように構成したが、図９に示すように、表面側ファイル名と裏面側ファイル名とが一対一の関係になるようにテーブル化して印刷機１の制御部２８に記憶させておくこともできる。このように構成しておけば、例えば表にあるＮｏ１の表面側印刷データの○○様チラシ（寿司写真）を印刷用紙３の一方の面に印刷した後、表面側ファイル名を基に、対照表から寿司裏（価格と注文方法）を制御部２８が抽出して、印刷用紙３の他方の面を印刷するための裏面側ファイル名を得ることができる。実施形態では、裏面印刷を行った後、表面印刷を行うようにしているが、上記のように表面印刷を行った後、裏面印刷を行う構成であってもよい。
【００４９】
また、前述の実施形態では、識別情報として、２次元コードを用いたが、バーコード、文字コードを用いてもよいし、それら複数の各種のコードを組み合わせて用いることもできる。
【符号の説明】
【００５０】
1…印刷機、２…設置面、３…枚葉紙（印刷用紙）、４…給紙部、５…印刷部、６…定着部、７…排紙部、８…積載部、９…給紙フィーダ、９Ａ…フィーダーボード、９Ｂ…サクションテープ、９Ｋ…開口、１０…給紙胴、１１…トナー供給胴、１２…印刷部圧胴、１３…印刷部渡し胴、１４…定着部渡し胴、１５…チェーン、１６…駆動スプロケット、１７…従動スプロケット、１８…乾燥装置、１９…チェーングリッパ、２０…渡し用スプロケット、２１…端部スプロケット、２２…ストック部、２３…一方側印刷手段（裏面側印刷手段）、２４…他方側印刷手段（表面側印刷手段）、２５…読取手段（２次元コードリーダー）、２６…記憶手段、２７…比較手段、２８…制御部、２９…抽出手段、３０…判断手段、５１〜５４…着色部
【図１】
0006511250.tif 000002
【図２】
0006511250.tif 000003
【図３】
0006511250.tif 000004
【図４】
0006511250.tif 000005
【図５】
0006511250.tif 000006
【図６】
0006511250.tif 000007
【図７】
0006511250.tif 000008
【図８】
0006511250.tif 000009
【図９】
0006511250.tif 000010